(57)【特許請求の範囲】
【請求項１】
角部を有する目地部を形成する一方の躯体と、該一方の躯体と前記目地部を介して設けられ、かつ、前記一方の躯体と対向する他方の躯体と、該他方の躯体に設けられた床用目地プレート支持部と、該床用目地プレート支持部と対向する側であって前記一方の躯体に設けられた床用目地プレートスライド支持部と、前記床用目地プレート支持部にその一端部が左右方向にスライド可能に支持されると共に、前記床用目地プレートスライド支持部にその他端部が前後方向にスライド可能に支持された床用目地プレートと、該床用目地プレートの一端部側の上方に位置し、前記一方の躯体と他方の躯体の壁面間に設けられた壁面用目地装置とで構成され、前記壁面用目地装置は、前記一方の躯体の一側壁面とこの一側壁面に対向する他方の躯体の一側壁面にそれぞれ設けられ、かつ、複数の枢支部を有するリンク部材と、該リンク部材の前記複数の枢支部にそれぞれ取り付けられた複数のバー部材と、該バー部材に固定され、その下端部が前記床用目地プレートと所定間隔を隔てて上方に位置する複数の壁面用目地プレートと、該複数の壁面用目地プレートの下端部に、それぞれ上下方向にスライド移動可能に設けられ、その下端部が前記床用目地プレートに当接する複数の補助板とで構成される目地装置。
【請求項２】
前記床用目地プレートの他端部には、ヒンジ部材を介してカバープレートが更に設けられていることを特徴とする請求項１記載の目地装置。
【請求項３】
前記床用目地プレートの底面には、地震によって目地部が狭くなった場合に、床用目地プレートを上方に押し上げる、押し上げ片が更に設けられていることを特徴とする請求項２記載の目地装置。
【請求項４】
前記床用目地プレート支持部は、ガイドレールと目地プレート取付部材とで構成されており、前記目地プレート取付部材の突出端部は、前記一方の躯体の壁面に設けられた支持部材に支持されていることを特徴とする請求項１乃至３のいずれかに記載の目地装置。
【発明の詳細な説明】
【技術分野】
【０００１】
本発明は角部を有する目地部を塞ぐ目地装置に関する。
【背景技術】
【０００２】
従来、躯体間の角部を有する目地部を塞ぐ目地装置としては、「内側床躯体と外側床躯体との間に形成されたアングル状の目地部を隙間なく当接するように覆う台形状の左右の目地プレートを用いた床用目地装置において、前記左右の目地プレートの一方の目地プレートの先端部にヒンジ部材を介して回動可能で、かつ該一方の目地プレートの端部より外方へ突出するように取付けられた長方形状の一方のカバープレートと、前記左右の目地プレートの他方の目地プレートの先端部にヒンジ部材を介して回動可能に取付けられた他方のカバープレートと、前記一方のカバープレートに前記他方のカバープレートと対応する部位側の角部が下方へ回動できるようにヒンジ部材を介した突出防止片となるようにしたことを特徴とする床用目地装置。」（特許文献１）が知られている。
【０００３】
しかし、このような目地装置は、単に目地部の全てを床用目地プレートで塞ぐものであり、前後方向の目地部の両側に壁面が形成された躯体の場合では用いることができなかった。
【０００４】
また、左右方向の目地部を床用目地プレートで塞ぐとともに、前後方向の目地部に人等が侵入できないように壁面用目地装置を用いるという技術的思想はなかった。
【先行技術文献】
【特許文献】
【０００５】
【特許文献１】特許第５１９８５０８号公報
【発明の概要】
【発明が解決しようとする課題】
【０００６】
本発明は以上のような従来の欠点に鑑み、平常時は隙間なく平面視略Ｌ形状の目地部を塞ぐことができるとともに、地震によって左右の躯体が揺れ動いても、該目地部を確実に塞ぐことができると共に、目地プレート等の損傷を防止することができる目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明の目地装置は、角部を有する目地部を形成する一方の躯体と、該一方の躯体と前記目地部を介して設けられ、かつ、前記一方の躯体と対向する他方の躯体と、該他方の躯体に設けられた床用目地プレート支持部と、該床用目地プレート支持部と対向する側であって前記一方の躯体に設けられた床用目地プレートスライド支持部と、前記床用目地プレート支持部にその一端部が左右方向にスライド可能に支持されると共に、前記床用目地プレートスライド支持部にその他端部が前後方向にスライド可能に支持された床用目地プレートと、該床用目地プレートの一端部側の上方に位置し、前記一方の躯体と他方の躯体の壁面間に設けられた壁面用目地装置とで構成され、前記壁面用目地装置は、前記一方の躯体の一側壁面とこの一側壁面に対向する他方の躯体の一側壁面にそれぞれ設けられ、かつ、複数の枢支部を有するリンク部材と、該リンク部材の前記複数の枢支部にそれぞれ取り付けられた複数のバー部材と、該バー部材に固定され、その下端部が前記床用目地プレートと所定間隔を隔てて上方に位置する複数の壁面用目地プレートと、該複数の壁面用目地プレートの下端部に、それぞれ上下方向にスライド移動可能に設けられ、その下端部が前記床用目地プレートに当接する複数の補助板とで構成される。
【発明の効果】
【０００９】
以上の説明から明らかなように、本発明にあっては次に列挙する効果が得られる。
（１）請求項１に記載の発明においては、床用目地プレートによって左右方向の目地部を塞ぐとともに、前後方向の目地部には壁面用目地装置を設置することにより人等が侵入することを防止できる。
（２）壁面用目地装置は、下端部が前記床用目地プレートと所定間隔を隔てて上方に位置する複数の壁面用目地プレートと、該複数の壁面用目地プレートの下端部に、それぞれ上下方向にスライド移動可能に設けられ、その下端部が前記床用目地プレートに当接する複数の補助板を有しているので、通常時は床用目地プレートとの間に隙間ができず、地震によって目地部が狭くなり、目地プレートが上方に持ち上げられた場合であっても、補助板が上方にスライド移動し、破損することなく揺れ動きを吸収できる。
（３）請求項２に記載の発明においても、前記（１）〜（２）と同様な効果が得られるとともに、地震による揺れ動きで床用目地プレートの他端部が持ち上げられる等により段差が発生しても、カバープレートによってその段差を塞ぐことができる。
（４）請求項３に記載の発明においても、前記（１）〜（３）と同様な効果が得られるとともに、地震によって目地部が狭くなった場合に、目地プレートが目地プレートスライド支持部と略平行状態を保ったまま上方に押し上げることができる。
【図面の簡単な説明】
【００１０】
図１乃至図１０は本発明の第１の実施形態を示す説明図である。
図１１乃至図１５は本発明の第２の実施形態を示す説明図である。
図１６乃至図１９は本発明の第３の実施形態を示す説明図である。
【図１】本発明を実施するための第１の形態の床用目地装置の平面図。
【図２】図１の２−２線に沿う断面図。
【図３】図１の３−３線に沿う断面図。
【図４】床用目地プレートの説明図
【図５】壁面用目地プレートの説明図。
【図６】躯体及び目地部の説明図。
【図７】躯体が地震によって左右方向に揺れ動き前後方向の目地部分が狭くなった状態の動作説明図。
【図８】躯体が地震によって左右方向に揺れ動き前後方向の目地部分が広くなった状態の動作説明図。
【図９】躯体が地震によって前後方向に揺れ動き左右方向の目地部分が狭くなった状態の動作説明図。
【図１０】躯体が地震によって前後方向に揺れ動き左右方向の目地部分が広くなった状態の動作説明図。
【図１１】本発明を実施するための第２の形態の床用目地装置の平面図。
【図１２】図１１の１２−１２線に沿う断面図。
【図１３】図１１の１３−１３線に沿う断面図。
【図１４】前後方向に揺れ動き左右方向の目地部が狭くなった状態の動作説明図。
【図１５】前後方向に揺れ動き左右方向の目地部が広くなった状態の動作説明図。
【図１６】本発明を実施するための第３の形態の床用目地装置の平面図。
【図１７】図１１の１７−１７線に沿う断面図。
【図１８】図１１の１８−１８線に沿う断面図。
【図１９】壁面用目地プレートの説明図。
【発明を実施するための形態】
【００１１】
以下、図面に示す本発明を実施するための形態により、本発明を詳細に説明する。なお、本明細書では図１又は図６を基準として左右方向、前（図面上方）後（図面下方）方向という。また、図２を基準として上（図面上方）下（図面下方）方向という。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１２】
図１乃至図１０に示す本発明を実施するための第１の形態において、１は本実施の形態においては、略直角の角部を有する平面視略Ｌ形状の目地部２を介して設けられた左右の躯体３、４間に設置された目地装置である。なお、目地部２の角部は、直角だけではなく、鈍角状の角部や鋭角状の角部であってもよい。
【００１３】
したがって、左の躯体（一方の躯体という）３は、平面視略Ｌ形状であり、一方、右の躯体（他方の躯体）４は、前記左の躯体の壁面側に前記目地部を介して位置している（図６参照）。
【００１４】
前記目地部２は、後述するように左右方向の目地部分２ａと、この目地部分２ａに略直交する前後方向の目地部分２ｂとからなる。
【００１５】
付言すると、この目地装置１は、例えば、図１、図６に示すように、一方の躯体３と、該一方の躯体３と平面視略Ｌ形状の目地部２を介して設けられた他方の躯体４と、前記目地部を構成する左右方向の目地部分２ａを塞ぐ複数の床用目地プレート５と、該床用目地プレート５の一端部５ａ側の上方に位置し、前記一方の躯体と他方の躯体の互いに対向する壁面間に設けられた壁面用目地装置６とで構成されている。
【００１６】
一方の躯体３は、前述したように、平面視略Ｌ字状の躯体であって、平面視前後方向の目地部分２ｂ側の側面であって、前記他方の躯体４に対向する位置には壁面３ａを有する。
【００１７】
この一方の躯体３と前記目地部２を介して他方の躯体４が設けられており、該他方の躯体４は、一方の躯体３の壁面３ａに対向する部位に壁面４ａを有している。この他方の躯体４の平面視左右方向の目地部分２ａ側の部位には、目地プレート支持部７が設けられている。
【００１８】
例えば図１乃至図３を参照すると、この目地プレート支持部７は、前記他方の躯体４に形成された左右方向に横長の凹所４ｂに固定され、上面が開口する断面リップ溝形のガイドレール８と、該ガイドレール８に挿入され、かつ、ガイドレール８内を左右方向にスライド移動できる可動の目地プレート取付部材９とで構成されている。この可動の目地プレート取付部材９は、上面がガイドレール８の上面と略面一になるように、断面形状が凸形状となっていることが望ましく、この目地プレート取付部材９の上面には、複数の床用目地プレート５を取付ける取付ピン１０が固定されており、目地プレート取付部材９の突出端部９ａは、一方の躯体３の壁面３ａに常時当接状態となっている。一方の躯体３の壁面３ａと当接させる場合には、目地プレート取付部材９の突出端部９ａに滑り材等を備えるとより好適である。
【００１９】
なお、目地プレート取付部材９の底面に、左右方向にスムーズにスライド移動できるように、滑り材やローラー等を設けてもよい。
【００２０】
また、前記一方の躯体３の平面視後方の部位であって、前記他方の躯体４の目地プレート支持部７と対向する側には、床用目地プレート５の他端部５ｂが前後方向にスライド可能に支持される目地プレートスライド支持部１１が左右方向に形成されている。この目地プレートスライド支持部１１の目地部２と反対側の端部には、床用目地プレート５が乗り上げ可能なように、傾斜面１２が形成されている。
【００２１】
床用目地プレート５は、図４に示すように、平面視長方形状で金属材製の目地プレート本体１３と、この目地プレート本体１３の一端部の両側部に設けられ、前記取付ピン１０が挿入されるピンボックス１４と、目地プレート本体１３内へ充填されたモルタルあるいはコンクリート１５と、このモルタルあるいはコンクリート１５の上面に貼り付けられた大理石等のタイルやレンガ等の床化粧板１６と、目地プレート本体１３の他端部にヒンジ部材１７を介して設けられたカバープレート１８と、目地プレート本体１３の底面に形成された略三角形状の押し上げ片１９とで構成される。
【００２２】
この床用目地プレート５は、前記目地プレート支持部７の目地プレート取付部材９に固定された取付ピン１０がピンボックス１４に挿入された状態で、その一端部５ａが目地プレート支持部７に左右方向にスライド可能に支持され、他端部５ｂは前記目地プレートスライド支持部１１に前後方向にスライド可能に支持される。
【００２３】
この床用目地プレート５の一方の躯体３側に位置する床用目地プレート５は、常時一方の躯体３の壁面３ａに当接するように設けられている。本実施の形態においては、複数の床用目地プレート５を常時一方の躯体３側へ押し出すように付勢手段（図示せず）により床目地プレート５又は目地プレート取付部材９を付勢している。この他にも、例えば、一方の躯体３の一側の壁面３ａに前後方向にクランク状のガイドレールを固定し、このガイドレールの凹所に係合するピン等を端部に位置する床用目地プレート５の底面や目地プレート取付部材９に固定し、ガイドレールと床用目地プレート５を係合状態で固定してもよい。
【００２４】
壁用目地装置６は、図１乃至図３に示すように、前記一方の躯体３の一側の壁面３ａと他方の躯体４の壁面４ａの間に上下方向に所定間隔を有して複数、本実施の形態においては２つ設けられたパンタグラフ状のリンク部材２０と、このリンク部材２０の複数の枢支部２１にそれぞれ取り付けられたバー部材２２と、このバー部材２２に固定され、その下端部２３ａが前記床用目地プレート５と所定間隔（床用目地プレート５が押し上げられても接触しない程度の間隔）を隔てて上方に位置する複数の壁面用目地プレート２３と、該複数の壁面用目地プレート２３の下端部２３ａに、それぞれ上下方向にスライド移動可能に設けられ、その下端部が前記床用目地プレートに当接する複数の補助板２４とで構成されている。
【００２５】
なお、前記リンク部材２０の左右端部は、ヒンジ部２０ａとなっており、前後方向に回動可能に取り付けられている。
【００２６】
バー部材２２は、角材状の部材であり、上下のリンク部材２０の枢支部２１に取り付けられることにより、略垂直状態で設けられる。これらのバー部材２２は、通常時は所定間隔を有して配置され、地震によって前後方向の目地部分２ｂが広狭した場合等は、リンク部材２０の動きに応じてその間隔が広狭する。
【００２７】
また、このバー部材２２の下端部は、壁面用目地プレート２３と同様に前記床用目地プレート５と所定間隔を隔てて上方に位置している。本実施の形態においては、バー部材２２の下端部と、壁用目地プレートの下端部は、略同位置となるように設けられている。
【００２８】
壁面用目地プレート２３は、図５に示すように、平面視略クランク状に形成されており、取付端部２３ｂが前記バー部材にボルトや溶接等で固定される。突出端部２３ｃは、隣り合う壁面用目地プレート２３と重なりあっており、目地部が最大限広がっても、隙間が開かない程度（壁面用目地プレート２３の全長の略半分）重なりあっている。
【００２９】
壁面用目地プレート２３の突出端部２３ｃには、折り返し部２５が形成されており、この折り返し部２５と取付端部２３ｂ側の折り曲げ部２３ｄによって前記補助板２４が挿入される補助板挿入部２６が形成される。
【００３０】
なお、このように壁面用目地プレート２３を折り返して補助板挿入部２６が形成し、この補助板挿入部２６に補助板２４を上下方向にスライド移動できるように挿入してもよいし、壁面用目地プレート２３に補助板２４を挿入するガイドレール等を設けて補助板挿入部２６が形成してもよい。
【００３１】
補助板２４は、矩形状の板材で、前記壁面用目地プレート２３の折り返し部２５と取付端部２３ｂ側の折り曲げ部２３ｄとの間に挿入される。このように設けることで、上下方向にスライド移動できるため、通常時は重力によりその下端部は床用目地プレート５に当接し、床用目地プレート５が上方に持ち上げられた場合には、上方へスライド移動し、破損することなく床用目地プレート５の動きに追従することができる。
地震によって前後方向の目地部分２ｂが狭くなった場合には、図７に示すように、床用目地プレート５は左右方向にスライド移動するとともに、壁面用目地装置６はリンク部材２０が縮んでその揺れ動きを吸収する。
【００３２】
地震によって前後方向の目地部分２ｂが広くなった場合には、図８に示すように、床用目地プレート５は左右方向にスライド移動するとともに、壁面用目地装置６はリンク部材２０が広がってその揺れ動きを吸収する。
【００３３】
地震によって左右方向の目地部分２ａが狭くなった場合には、図９に示すように、目地プレートスライド支持部１１の傾斜面１２と床用目地プレート５の押し上げ片１９により、床用目地プレート５が緩やかな角度で上方に押し上げられるとともに、この床用目地プレート５によって前記壁面用目地装置６の補助板２４が上方向に押し上げられてスライド移動する。また、壁面用目地装置６のリンク部材２０はヒンジ部２０ａを支点に前後方向に回動し、その揺れ動きを吸収する。
【００３４】
地震によって左右方向の目地部分２ａが広くなった場合には、図１０に示すように、床用目地プレート５が一方の躯体３の目地プレートスライド支持部１１上をスライド移動するとともに、前記リンク部材２０はヒンジ部２０ａを支点に前後方向に回動し、その揺れ動きを吸収する。
【００３５】
[発明を実施するための異なる形態]
次に、図１１乃至図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図１１乃至図１５に示す本発明を実施するための第２の形態において、前記本発明を実施するための第１の形態と主に異なる点は、押し上げ片１９を有さない床用目地プレート５Ａとするとともに、他方の躯体に横長の凹所４ｂを形成せず、断面形状がクランク状のガイドレール８Ａを他方の躯体に固定して目地プレート支持部７Ａを形成した点で、このような目地装置１Ａにしても、前記本発明を実施するための第１の形態と同様の作用効果を得ることができる。
【００３６】
なお、目地プレート取付部材９が脱落しないように、ガイドレール８Ａの上端部をかえし状に折り曲げてもよいし、前述したように端部に位置する床用目地プレート５や目地プレート取付部材９の一方の躯体３側の端部を一方の躯体３の壁面３ａに係合状態で取付けてもよい。
【００３７】
図１６乃至図１９に示す本発明を実施するための第３の形態において、前記本発明を実施するための第２の形態と主に異なる点は、その突出端部９ａに前記一方の躯体の壁面３ａに当接するベアリング２７を設けると共に、底面に支持ローラー２８を設けた目地プレート取付部材９Ａとし、一方の躯体３の壁面３ａの下部に金属製でアングル状の支持部材２９を固定して、この支持部材２９で前記支持ローラー２８を支持するとともに、断面視クランク状の補助板２４Ａを用いた壁面用目地装置６Ａを用いた点で、このような目地装置１Ｂにしても、前記本発明を実施するための第１の形態と同様の作用効果を得ることができる。なお、補助板２４Ａはアングル形状等にしてもよく、支持部材２９はクランク状にしてもよい。
【００３８】
本発明の実施の形態では床用目地プレートの底面に三角形状の押し上げ片を有するものについて説明したが、例えば台形状等の形状としてもよい。
【００３９】
また、リンク部材はパンタグラフ状のものにかぎらず、四角枠状のリンク部材として、このリンク部材の対向するアームに所定間隔で両端部が枢支ピンでそれぞれ枢支された複数の枢支アームを枢支し、この枢支アームに枢支部を形成してもよい（例えば、特開２０１５−１１１１号に記載されている伸縮リンク機構のような構成）。
【産業上の利用可能性】
【００４０】
本発明は目地装置を製造する産業で利用される。
【符号の説明】
【００４１】
１、１Ａ、１Ｂ：目地装置、          ２：目地部、
２ａ：左右方向の目地部分、          ２ｂ：前後方向の目地部分、
３：一方の躯体、                    ４：他方の躯体、
５、５Ａ：床用目地プレート、        ６、６Ａ：壁面用目地装置、
７、７Ａ：目地プレート支持部、      ８、８Ａ：ガイドレール、
９、９Ａ：目地プレート取付部材、    １０：取付ピン、
１１：目地プレートスライド支持部、  １２：傾斜面、
１３：目地プレート本体、            １４：ピンボックス、
１５：モルタルあるいはコンクリート、１６：床化粧板、
１７：ヒンジ部材、                  １８：カバープレート、
１９：押し上げ片、                  ２０：リンク部材、
２１：枢支部、                      ２２：バー部材、
２３：壁面用目地プレート、          ２４、２４Ａ：補助板、
２５：折り返し部、                  ２６：補助板挿入部、
２７：ベアリング、                  ２８：支持ローラー、
２９：支持部材。
【図１】
0006293202.tif 000002
【図２】
0006293202.tif 000003
【図３】
0006293202.tif 000004
【図４】
0006293202.tif 000005
【図５】
0006293202.tif 000006
【図６】
0006293202.tif 000007
【図７】
0006293202.tif 000008
【図８】
0006293202.tif 000009
【図９】
0006293202.tif 000010
【図１０】
0006293202.tif 000011
【図１１】
0006293202.tif 000012
【図１２】
0006293202.tif 000013
【図１３】
0006293202.tif 000014
【図１４】
0006293202.tif 000015
【図１５】
0006293202.tif 000016
【図１６】
0006293202.tif 000017
【図１７】
0006293202.tif 000018
【図１８】
0006293202.tif 000019
【図１９】
0006293202.tif 000020